(57)【要約】【課題】そこで，本発明は，くじの当選を確認する行為がダイレクトメールを開封する行為に直接結び付くくじ付き封筒を提供することを目的とする。【解決手段】くじ付き封筒１では，一つの角に設けられたくじ部１０を封筒から切り取る切り取り加工となる切り取り用のミシン目１１と，封筒を開封する開封加工となる開封用のミシン目１２が連結し，更に，くじ付き封筒１のくじ部１０の内側にくじ券情報としてくじ番号を印刷し，くじ券情報を用いたくじの抽選に利用するくじ加工として当選番号を封入物２に印刷している。【選択図】図１
2012121600.tif 000002
【特許請求の範囲】
【請求項１】
封入物を封入する封筒であって，一つの角に設けられたくじ部を封筒から切り取る切り取り手段と，封筒を開封する開封手段を連結させたことを特徴とするくじ付き封筒。
【請求項２】
前記くじ付き封筒の前記くじ部の内側にくじ券情報を印刷し，前記くじ券情報を用いたくじの抽選に利用するくじ加工を前記封入物に施したことを特徴とする，請求項１に記載のくじ付き封筒。
【請求項３】
前記切り取り手段及び前記開封手段をミシン目としたことを特徴とする，請求項１又は請求項２に記載のくじ付き封筒。
【請求項４】
前記切り取り手段をミシン目とし，前記開封手段を紐又は合成樹脂としたことを特徴とする，請求項１又は請求項２に記載のくじ付き封筒。
【請求項５】
前記切り取り手段をミシン目とし，前記開封手段を紐又は合成樹脂とし，前記紐又は合成樹脂の一部と前記封入物の一部を接合させたことを特徴とする，請求項４に記載のくじ付き封筒。
【請求項６】
前記くじ券情報としてくじ番号を前記くじ部に印刷し，前記くじ加工として当選番号を前記封入物に印刷したことを特徴とする，請求項２から請求項５のいずれか一つに記載のくじ付き封筒。
【請求項７】
前記くじ券情報として，くじ番号を提示するウェブサイトのＵＲＩをエンコードした光学コードを前記くじ部に印刷し，前記くじ加工として当選番号を前記封入物に印刷したことを特徴とする，請求項２から請求項５のいずれか一つに記載のくじ付き封筒。
【請求項８】
前記くじ券情報として，前記封入物の２つ以上のページ番号を前記くじ部に印刷し，前記くじ加工として，前記くじ部に印刷した前記ページ番号を辿ることでくじに利用する情報が得られるように，前記封入物の各ページに文字列を印刷したことを特徴とする，請求項２から請求項５のいずれか一つに記載のくじ付き封筒。
【請求項９】
前記くじ券情報を埋め込んだ隠し絵を前記くじ部に印刷し，前記くじ加工として，前記隠し絵に埋め込まれた前記くじ券情報を見るためのフィルタを前記封入物に添付したことを特徴とする，請求項２にから請求項５のいずれか一つに記載のくじ付き封筒。
【発明の詳細な説明】
【技術分野】
【０００１】
本発明は、ダイレクトメール等の郵便物に用いられる封筒に関する。
【背景技術】
【０００２】
商品やサービスなどを消費者に伝える広告手法とて電子メールが利用されることも増えているが，カタログ等の冊子を封筒に同封したダイレクトメールに対する要望も依然として高い。しかし，一人の消費者が受け取るダイレクトメールの数が多くなると，消費者がダイレクトメールを開封しなくなるため，消費者に開封してもらえるような工夫をダイレクトメールに施すことが必要とされている。
【０００３】
消費者にダイレクトメールを開封してもらえる工夫を凝らした封筒として，例えば，特許文献１において，封筒本体の外側に景品となるくじの当選番号を印刷し，更に，封入紙を目視するための窓孔を封筒本体に設け，くじの当選番号及び窓孔を覆うラベルを封筒本体の外側に貼っておき，封入状態で窓孔から目視できる位置に又は封筒本体より引出された状態で目視できる位置にくじの抽選番号が印刷された封入紙を封入したくじ付き封筒が開示されている。
【０００４】
上述した発明によれば，くじ付き封筒を用いたダイレクトメールを受け取った消費者は，ラベルを剥がしてくじの当選結果を確認することで，ダイレクトメールを開封したくなる好奇心を消費者に持たせることができるが，くじの当選を確認する行為となるラベルを剥がす行為がダイレクトメールを開封する行為に直接結び付かない問題があった。
【先行技術文献】
【特許文献】
【０００５】
【特許文献１】特開平９−５８６９５号公報
【発明の概要】
【発明が解決しようとする課題】
【０００６】
そこで，本発明は，くじの当選を確認する行為がダイレクトメールを開封する行為に直接結び付くくじ付き封筒を提供することを目的とする。
【課題を解決するための手段】
【０００７】
上述した課題を解決する本発明は，くじの当選を確認する行為がダイレクトメールを開封する行為に直接結び付くようにするために，一つの角に設けられたくじ部を封筒から切り取る切り取り手段と，封筒を開封する開封手段を連結させたことを特徴とするくじ付き封筒である。
【０００８】
更に，第２の発明は，前記封入物を消費者が見る率を高めるために，前記くじ付き封筒の前記くじ部の内側にくじ券情報を印刷し，前記くじ券情報を用いたくじの抽選に利用するくじ加工を前記封入物に施したことを特徴とする，第1の発明に記載のくじ付き封筒である。
【０００９】
第１の発明及び第２の発明において，前記切り取り手段及び前記開封手段は様々な形態で実現することができ，前記切り取り手段及び前記開封手段をミシン目とすることができるし，また，前記切り取り手段をミシン目とし，前記開封手段を紐又は合成樹脂とすることもできる。
【００１０】
なお，前記切り取り手段をミシン目とし，前記開封手段を紐又は合成樹脂とする場合，開封する動作により前記封入物が封筒から引き出されるように，前記紐又は合成樹脂の一部と前記封入物の一部を接合させることもできる。
【００１１】
更に，第１の発明及び第２の発明において，前記くじ券情報と前記くじ加工は様々な形態で実現でき，前記くじ券情報として前記くじ部にくじ番号を印刷し，前記くじ加工として当選番号を前記封入物に印刷することができる。
【００１２】
また，前記くじ券情報として，くじ番号を提示するウェブサイトのＵＲＩをエンコードした光学コードを前記くじ部に印刷し，前記くじ加工として当選番号を前記封入物に印刷することもできる。
【００１３】
また，前記くじ券情報として，前記封入物の２つ以上のページ番号を前記くじ部に印刷し，前記くじ加工として，前記くじ部に印刷した前記ページ番号を辿ることでくじに利用する情報が得られるように，前記封入物の各ページに文字列を印刷することもできる。
【００１４】
また，前記くじ券情報を埋め込んだ隠し絵を前記くじ部に印刷し，前記くじ加工として，前記隠し絵に埋め込まれた前記くじ券情報を見るためのフィルタを前記封入物に添付することもできる。
【発明の効果】
【００１５】
このように，本発明によれば，景品を受け取る行為がダイレクトメールを開封する行為に直接結び付くくじ付き封筒を提供できる。
【図面の簡単な説明】
【００１６】
【図１】本実施形態に係るくじ付き封筒を説明する図。
【図２】本実施形態のくじ付き封筒１が開封される様子を説明する図。
【図３】本実施形態におけるくじ券情報とくじ加工を説明する図。
【図４】切り取り手段と開封手段の変形例１に係るくじ付き封筒を説明する図。
【図５】切り取り手段と開封手段の変形例１に係るくじ付き封筒が開封される様子を説明する図。
【図６】切り取り手段と開封手段の変形例２に係るくじ付き封筒を説明する図。
【図７】切り取り手段と開封手段の変形例２に係るくじ付き封筒から封入物が引き出される様子を説明する図。
【図８】くじ券情報とくじ加工の変形例１を説明する図。
【図９】くじ券情報とくじ加工の変形例２を説明する図。
【図１０】くじ券情報とくじ加工の変形例３を説明する図。
【発明を実施するための形態】
【００１７】
ここから，本発明の実施形態について，本発明の技術分野に係わる当業者が，発明の内容を理解し，発明を実施できる程度に説明する。なお、これから説明する実施形態は本発明の一実施形態にしか過ぎず、本発明は，これから説明する実施形態に限定されることなく、種々の変形や変更が可能である。
【００１８】
ここから，本実施形態に係るくじ付き封筒について説明する。図１は，本実施形態に係るくじ付き封筒１を説明する図で，図１（ａ）は，封緘後のくじ付き封筒１を示した図で，図１（ｂ）は，開封時のくじ付き封筒１を示した図である。
【００１９】
図１（ａ）で図示したくじ付き封筒１は，封入物２を消費者に送付するダイレクトメール用の封筒として発案された封筒で，一つの角に三角形状のくじ部１０を設け，更に，三角形状のくじ部１０を切り取る切り取り手段と，切り取り手段と連結するようにくじ付き封筒１を開封するための開封手段を施すことで，くじの当選を確認する行為がダイレクトメールを開封する行為に直接結び付くようにしている。
【００２０】
三角形状のくじ部１０を切り取る切り取り手段と封筒を開封するための開封手段としては様々な形態が考えられるが，図１で図示したくじ付き封筒１では，切り取り手段を切り取り用のミシン目１１で実現し，開封手段を開封用のミシン目１２で実現している。
【００２１】
図１（ｂ）に図示したように，封緘前のくじ付き封筒１において，切り取り用のミシン目１１は，フラップ１３の折り部１３ａに対して斜めになるように，くじ付き封筒１の封筒本体とくじ付き封筒１のフラップ１３に設けられる。また，開封用のミシン目１２は，フラップ１３の折り部１３ａから数ミリの間隔をあけ，フラップ１３の折り部１３ａと平行になるように，くじ付き封筒１の封筒本体とくじ付き封筒１のフラップ１３に設けられる。
【００２２】
切り取り用のミシン目１１と開封用のミシン目１２を繋げて一つづきの状態にするために，切り取り用のミシン目１１は，フラップ１３の折部１３ａまで延びておらず，フラップ１３の折り部１３ａとほぼ平行になるように設けられた開封用のミシン目１２との交点で連結している。
【００２３】
図２は，本実施形態のくじ付き封筒１が開封される様子を説明する図である。図１を用いて説明した加工を施すことで，くじ付き封筒１に設けられたくじ部１０を封筒本体から切り取る際，図２で図示したように，まず，切り取り用のミシン目１１が切り取られた後，切り取り用のミシン目１１と連結している開封用のミシン目１２が切り取られる格好になり，くじ部１０が切り取られると共にフラップの折部１３が封筒本体から切り取られ，くじ付き封筒１は開封する。
【００２４】
図３は，本実施形態におけるくじ券情報とくじ加工を説明する図で，図３（ａ）はくじ券情報を説明する図で，図３（ｂ）はくじ加工を説明する図である。
【００２５】
三角くじのように，くじ部１０の内側にくじの当選結果を印刷すると，くじ付き封筒１に封入されている封入物２を見ることなく，くじの当選結果の確認のみで終わることが多いため，本実施形態では，くじ付き封筒１のくじ部１０の内側にくじ券情報を印刷し，くじ部１０に印刷されたくじ券情報を用いたくじの抽選に利用するためくじ加工を封入物２に施し，封入物１を利用しなければ，消費者がくじにより景品を獲得できないようにしている。
【００２６】
くじ付き封筒１のくじ部１０に印刷するくじ券情報と封入物に施すくじ加工としては様々な形態が考えられるが，図３では，図３（ａ）に図示したように，くじ部１０に印刷するくじ券情報をくじ番号１０ａとし，図３（ｂ）に図示したように，封入物２に施すくじ加工を当選番号２０の印刷としている。
【００２７】
このようにすることで，消費者が，当選番号２０が印刷された封入物２のページを開かなければ，くじ部１０に印刷されたくじ番号１０ａの当選結果がわからないため，消費者は，くじ付き封筒１から封入物２を取り出して見ることになり，消費者が封入物２を見る率を高めることができる。
【００２８】
なお、本発明は、これまで説明した実施の形態に限定されることなく、種々の変形や変更が可能であり、これから，本発明の変形例について説明する。
【００２９】
まず，くじ部を切り取るための切り取り手段と封筒を開封するための開封手段の変形例について説明する。図４は，切り取り手段と開封手段の変形例１に係るくじ付き封筒３を説明する図で，図４（ａ）は，封緘後のくじ付き封筒３を説明する図で，図４（ｂ）は，開封時のくじ付き封筒３を説明する図である。
【００３０】
図４（ａ）に図示したように，封入物４が封緘されたくじ付き封筒３には，一つの角に設けられたくじ部３０を切り取るための切り取り手段となる切り取り用のミシン目３１と，くじ付き封筒３を開封するための開封手段となる開封用の紐又は合成樹脂３２が施され，開封用の紐又は合成樹脂３２はくじ付き封筒３のフラップ３３の折り部３３ａに沿って設けられている。
【００３１】
図４（ｂ）に図示したように，封緘前のくじ付き封筒３において，切り取り用のミシン目３１は，フラップ３３の折り部３３ａに対して斜めになるように，くじ付き封筒３の封筒本体とくじ付き封筒３のフラップ３３に設けられ，また，開封用の紐又は合成樹脂３２は，フラップ３３の折り部３３を覆う様に接着されている。
【００３２】
変形例１のくじ付き封筒３において，切り取り用のミシン目３１はフラップ３３の折り部３３ａまで延びており，切り取り用のミシン目３１の上から，開封用の紐又は合成樹脂３２が接着されることで，切り取り用のミシン目３１と開封用の紐又は合成樹脂３２を連結している。
【００３３】
図５は，切り取り手段と開封手段の変形例１に係るくじ付き封筒３が開封される様子を説明する図である。図５で図示したように，くじ付き封筒３に設けられたくじ部３０を封筒本体から切り取る際，まず，切り取り用のミシン目３１が切り取られ，更に，切り取られたくじ部が斜め上方向に引かれると，切り取り用のミシン目３１と連結している開封用の紐又は合成樹脂３２が斜め上方向に引かれ，フラップ３３の折り部３３ａが破れることでくじ付き封筒３は開封する。
【００３４】
次に，切り取り手段と開封手段の変形例２について説明する。図６は，切り取り手段と開封手段の変形例２に係るくじ付き封筒５を説明する図で，図６（ａ）は，封緘後のくじ付き封筒５を説明する図で，図６（ｂ）は，開封時のくじ付き封筒５を示した図である。
【００３５】
切り取り手段と開封手段の変形例２は，くじ付き封筒５を開封する動作により封入物６がくじ付き封筒５から引き出されるようにした形態で，図６（ａ）に図示したように，くじ付き封筒５には，三角形状のくじ部５０を切り取るための切り取り手段として切り取り用のミシン目５１と，くじ付き封筒５を開封するための開封手段として開封用の紐又は合成樹脂５２が施され，開封用の紐又は合成樹脂は，フラップ５３の折り部５３ａに沿うように設けられ，更に，くじ付き封筒５に封入された封入物６に設けられた突起片６ａと接着している。
【００３６】
図６（ｂ）に図示したように，封緘前のくじ付き封筒５において，切り取り用のミシン目５１は，フラップ５３の折り部５３ａに対して斜めになるように，くじ付き封筒５の封筒本体とくじ付き封筒５のフラップ５３に設けられ，また，開封用の紐又は合成樹脂５２は，フラップ５３の折り部５３を覆う様に接着され，更に，くじ付き封筒５に封入された封入物６に設けられた突起片６ａと接着している。
【００３７】
変形例１と同様に，くじ付き封筒５において，切り取り用のミシン目５１はフラップ５３の折り部５３ａまで延びており，切り取り用のミシン目５１の上から，開封用の紐又は合成樹脂５２が接着されることで，切り取り用のミシン目５１と開封用の紐又は合成樹脂５２を連結している。
【００３８】
図７は，切り取り手段と開封手段の変形例２に係るくじ付き封筒５から封入物６が引き出される様子を説明する図である。切り取り手段と開封手段の変形例１と同様に，くじ付き封筒５に設けられたくじ部５０を封筒本体から切り取る際，まず，切り取り用のミシン目５１が切り取られ，更に，切り取られたくじ部５０が斜め上方向に引かれると，切り取り用のミシン目５１と連結している開封用の紐又は合成樹脂５２が斜め上方向に引かれ，フラップ５３の折り部５３ａが破られることでくじ付き封筒５は開封する。
【００３９】
また，図７に図示したように，切り取り手段と開封手段の変形例２において，開封用の紐又は合成樹脂５２は，くじ付き封筒５に封入された封入物６の突起片６ａと接合しているため，くじ付き封筒５が開封された状態になると，封入物６の突起片６ａがくじ付き封筒５から引き出される格好になり，封筒を開封すると封入物６がくじ付き封筒５から引き出される。
【００４０】
なお，切り取り手段と開封手段の変形例２において，封入物６の突起片６ａをくじ部５０の反対側に配置しているが，封入物６の突起片６ａを配置する場所は任意である。
【００４１】
次に，くじ券情報とくじ加工の変形例について説明する。図８は，くじ券情報とくじ加工の変形例１を説明する図で，図８（ａ）は，くじ情報を説明する図で，図８（ｂ）は，くじ加工を説明する図である。
【００４２】
図３で図示したように，くじ券情報をくじ番号１０ａとすると，くじ付き封筒１毎に異なるくじ番号１０ａをくじ部１０に印刷する必要があるため，くじ券情報とくじ加工の変形例１では，図８（ａ）のように，くじ番号を消費者に提示するサーバのＵＲＬがエンコードされた光学コード７０ａ（例えば，２次元バーコード）をくじ部７０に印刷するくじ券情報とし，図８（ｂ）に図示したように，封入物７１に施すくじ加工を当選番号７１ａの印刷としている。
【００４３】
くじ券情報とくじ加工の変形例１では，くじ部７０に印刷された光学コード７０ａを利用してサーバにアクセスした消費者に対してくじ番号が提示され，該サーバが提示したくじ番号の当選結果を消費者は封入物７１を利用して確認することになる。
【００４４】
次に，くじ券情報とくじ加工の変形例２について説明する。図９は，くじ券情報とくじ加工の変形例２を説明する図で，図９（ａ）は，くじ情報を説明する図で，図９（ｂ）は，くじ加工を説明する図である。
【００４５】
例えば，図３で図示しているように，封入物２に施すくじ加工を当選番号２ａの印刷とする形態にすると，消費者は，くじの当選番号２ａが印刷された封入物２のページしか開かないことが想定できるため，くじ券情報とくじ加工の変形例２では，図９（ａ）で図示したように，くじ券情報として封入物８１の２つ以上のページ番号８０ａをくじ部８０に印刷し，図９（ｂ）で図示したように，くじ加工として，くじ部８０に印刷したページ番号８０ａを辿ることでくじに利用する情報が得られるように，封入物８１の各ページに文字列８１ａを印刷している。
【００４６】
くじ券情報とくじ加工の変形例２では，くじ部８０に印刷されたページ番号８０ａ順に，該ページ番号８０ａに対応する封入物８１のページに印刷された文字列８１ａを辿ることで得られる情報を利用して，くじが実施される。
【００４７】
例えば，図９（ａ）では，くじ部８０に印刷されたページ番号８０ａは「１」，「１２」及び「９」で，図９（ｂ）では，封入物８１の各ページには文字列８１ａとしてひらがな１文字が印刷されている。
【００４８】
図９（ｂ）によれば，くじ部８０に印刷したページ番号８０ａを辿ることで得られる情報は「りんご」になる。くじ部８０に印刷したページ番号８０ａを辿ることで得られる情報（ここでは，「りんご」）でくじの当選景品を示すこともできるが，該情報は，インターネット上のウェブサイトでくじ番号を得るときのパスコードに利用することもできる。
【００４９】
次に，くじ券情報とくじ加工の変形例３について説明する。図１０は，くじ券情報とくじ加工の変形例３を説明する図で，図１０（ａ）は，くじ情報を説明する図で，図１０（ｂ）は，くじ加工を説明する図，そして，図１０（ｃ）は，くじ部９０に印刷された隠し絵９０ａにフィルタ９１ａを重ねたときの図である。
【００５０】
くじ券情報とくじ加工の変形例３は，フィルタ９１ａを重ねると文字や絵柄が浮かび上がる隠し絵技術である「エーデルグラム」を利用した形態で，図１０（ａ）に図示したように，くじ券情報を埋め込んだ隠し絵９０ａをくじ部９０に印刷し，図１０（ｂ）に図示したように，隠し絵９０ａに埋め込まれたくじ券情報を見るためのフィルタ９１ａを封入物９１に添付する。
【００５１】
図１０（ｃ）に図示したように，くじ部９０に印刷された隠し絵９０ａに，封入物９１に添付されたフィルタ９１ａを重ねることで，くじ部９０に印刷された隠し絵９０ａに埋め込まれたくじ券情報が浮かび上がり，くじ部９０に印刷された隠し絵９０ａに埋め込まれたくじ券情報を利用して，くじが実施される。
【００５２】
くじ部９０に印刷された隠し絵９０ａに埋め込まれたくじ券情報をくじ番号とすることもできるが，図１０（ｃ）に図示したように，くじ券情報を図柄（ここでは，りんごの図柄）にすると，くじ券情報でくじの当選景品を示すこともできるし，また，インターネット上のウェブサイトでくじ番号を得るときのパスコードに利用することもできる。
【符号の説明】
【００５３】
１  くじ付き封筒
１０  くじ部
１０ａ  くじ番号
１１  切り取り用のミシン目
１２  開封用のミシン目
１３  フラップ
１３ａ  折り部
２  封入物
２ａ  当選番号
３  くじ付き封筒
３０  くじ部
３１  切り取り用のミシン目
３２  開封用の紐又は合成樹脂
３３  フラップ
３３ａ  折り部
４  封入物
５  くじ付き封筒
５０  くじ部
５１  切り取り用のミシン目
５２  開封用の紐又は合成樹脂
５３  フラップ
５３ａ  折り部
６  封入物
６ａ  突起片
７０，８０，９０  くじ部
７０ａ  光学コード
８０ａ  封入物のページ番号
９０ａ  隠し絵
７１，８１，９１  封入物
７１ａ  当選番号
８１ａ  封入物の各ページに印刷された文字列
９１ａ  フィルタ
【図１】
2012121600.tif 000003
【図２】
2012121600.tif 000004
【図３】
2012121600.tif 000005
【図４】
2012121600.tif 000006
【図５】
2012121600.tif 000007
【図６】
2012121600.tif 000008
【図７】
2012121600.tif 000009
【図８】
2012121600.tif 000010
【図９】
2012121600.tif 000011
【図１０】
2012121600.tif 000012